(57)【要約】【課題】  給紙カセットの各々に収納される記録用紙の種類の中から所望のものを選択することで、選択された種類の記録用紙を使用して画像出力を行い、適正な色見本を作成することのできる画像出力システム、制御装置、画像出力方法、その方法を実行させるためのプログラム、及び、そのプログラムを記憶した記憶媒体を提供する。【解決手段】  用紙情報取得部２２は、カラーレーザープリンタ３の用紙情報記憶部から各給紙カセットに収納される記録用紙のサイズ及び種類を取得し、表示部２３は、これを表示する。ここで、作業者が用紙選択部２４により、それらの中から出力する記録用紙のサイズ及び種類を選択すると、用紙選択部２４は、その記録用紙のサイズ及び種類を送信部２５に出力し、送信部２５は、その記録用紙のサイズ及び種類をスクリーン処理部２１により色調整やスクリーン処理が施こされた画像データと共にカラーレーザープリンタ３へ送信する。【選択図】      図３
2005060041.tif 000002
【特許請求の範囲】
【請求項１】
画像データと共に出力情報を送信する制御装置と、前記送信された出力情報に従い、複数の給紙カセットの中から該当する給紙カセットを選択して、前記送信された画像データに基づく画像を当該選択された給紙カセットから給紙する記録用紙に出力する画像出力装置と、を含む画像出力システムであって、
前記画像出力装置は、
前記複数の給紙カセットの各々に収納される記録用紙の紙質の種類を入力するための入力画面を表示する入力画面表示手段と、
前記入力画面において、前記複数の給紙カセットの各々に収納される記録用紙の紙質の種類を入力するための用紙情報入力手段と、
前記入力された記録用紙の紙質の種類を、前記複数の給紙カセットの各々と対応付けて記憶する用紙情報記憶手段と、を備え、
前記制御装置は、
前記記憶された記録用紙の紙質の種類を取得する用紙情報取得手段と、
前記取得された記録用紙の紙質の種類を表示する用紙情報表示手段と、
前記表示された記録用紙の紙質の種類の中から前記画像データに基づく画像を出力する記録用紙の紙質の種類を選択するための用紙選択手段と、
前記選択された記録用紙の紙質の種類を前記出力情報として、前記画像データと共に前記画像出力装置に送信する送信手段と、を備えたことを特徴とする画像出力システム。
【請求項２】
画像データと共に出力情報を送信する制御装置と、前記送信された出力情報に従い、複数の給紙カセットの中から該当する給紙カセットを選択して、前記送信された画像データに基づく画像を当該選択された給紙カセットから給紙する記録用紙に出力する画像出力装置と、を含む画像出力システムであって、
前記画像出力装置は、
前記複数の給紙カセットの各々に収納される記録用紙の紙質の種類とサイズとの組み合わせを入力するための入力画面を表示する入力画面表示手段と、
前記入力画面において、前記複数の給紙カセットの各々に収納される記録用紙の紙質の種類とサイズとの組み合わせを入力するための用紙情報入力手段と、
前記入力された記録用紙の紙質の種類とサイズとの組み合わせを、前記複数の給紙カセットの各々と対応付けて記憶する用紙情報記憶手段と、を備え、
前記制御装置は、
前記記憶された記録用紙の紙質の種類とサイズとの組み合わせを取得する用紙情報取得手段と、
前記取得された記録用紙の紙質の種類とサイズとの組み合わせを表示する用紙情報表示手段と、
前記表示された記録用紙の紙質の種類とサイズとの組み合わせの中から前記画像データに基づく画像を出力する記録用紙の紙質の種類とサイズとの組み合わせを選択するための用紙選択手段と、
前記選択された記録用紙の紙質の種類とサイズとの組み合わせを前記出力情報として、前記画像データと共に前記画像出力装置に送信する送信手段と、を備えたことを特徴とする画像出力システム。
【請求項３】
前記画像データに基づく画像は、校正を行うために色見本として出力されるものであり、前記記録用紙は、前記校正を行う対象となる印刷物に使用される用紙、若しくは、これに類似する種類の用紙であり、前記画像出力装置は、カラーレーザープリンタであることを特徴とする請求項１又は請求項２に記載の画像出力システム。
【請求項４】
画像データと共に送信された出力情報に従い、複数の給紙カセットの中から該当する給紙カセットを選択して、前記画像データに基づく画像を当該選択された給紙カセットから給紙する記録用紙に出力する画像出力装置に対して、前記画像データと共に前記出力情報を送信する制御装置であって、
前記画像出力装置から、前記複数の給紙カセットの各々と対応付けて記憶された記録用紙の紙質の種類を取得する用紙情報取得手段と、
前記取得された記録用紙の紙質の種類を表示する用紙情報表示手段と、
前記表示された記録用紙の紙質の種類の中から前記画像データに基づく画像を出力する記録用紙の紙質の種類を選択するための用紙選択手段と、
前記選択された記録用紙の紙質の種類を前記出力情報として、前記画像データと共に前記画像出力装置に送信する送信手段と、を備えたことを特徴とする制御装置。
【請求項５】
画像データと共に送信された出力情報に従い、複数の給紙カセットの中から該当する給紙カセットを選択して、前記画像データに基づく画像を当該選択された給紙カセットから給紙する記録用紙に出力する画像出力装置に対して、前記画像データと共に前記出力情報を送信する制御装置であって、
前記画像出力装置から、前記複数の給紙カセットの各々と対応付けて記憶された記録用紙の紙質の種類とサイズとの組み合わせを取得する用紙情報取得手段と、
前記取得された記録用紙の紙質の種類とサイズとの組み合わせを表示する用紙情報表示手段と、
前記表示された記録用紙の紙質の種類とサイズとの組み合わせの中から前記画像データに基づく画像を出力する記録用紙の紙質の種類とサイズとの組み合わせを選択するための用紙選択手段と、
前記選択された記録用紙の紙質の種類とサイズとの組み合わせを前記出力情報として、前記画像データと共に前記画像出力装置に送信する送信手段と、を備えたことを特徴とする制御装置。
【請求項６】
前記画像データに基づく画像は、校正を行うために色見本として出力されるものであり、前記記録用紙は、前記校正を行う対象となる印刷物に使用される用紙、若しくは、これに類似する種類の用紙であり、前記画像出力装置は、カラーレーザープリンタであることを特徴とする請求項４又は請求項５に記載の制御装置。
【請求項７】
制御装置から画像データと共に出力情報を送信して、これを受けた画像出力装置において、前記送信された出力情報に従い、複数の給紙カセットの中から該当する給紙カセットを選択して、前記送信された画像データに基づく画像を当該選択された給紙カセットから給紙する記録用紙に出力する画像出力方法であって、
前記画像出力装置において、
前記複数の給紙カセットの各々に収納される記録用紙の紙質の種類を入力するための入力画面を表示する入力画面表示ステップと、
前記入力画面において、前記複数の給紙カセットの各々に収納される記録用紙の紙質の種類が入力された場合に、当該入力された記録用紙の紙質の種類を、前記複数の給紙カセットの各々と対応付けて記憶する用紙情報記憶ステップと、
前記制御装置において、
前記記憶された記録用紙の紙質の種類を取得する用紙情報取得ステップと、
前記取得された記録用紙の紙質の種類の中から前記画像データに基づく画像を出力する記録用紙の紙質の種類を選択可能に表示する用紙情報表示ステップと、
前記画像データに基づく画像を出力する記録用紙の紙質の種類とサイズとの組み合わせが選択された場合に、当該記録用紙の紙質の種類を前記出力情報として、前記画像データと共に前記画像出力装置に送信する送信ステップと、を含むことを特徴とする画像出力方法。
【請求項８】
制御装置から画像データと共に出力情報を送信して、これを受けた画像出力装置において、前記送信された出力情報に従い、複数の給紙カセットの中から該当する給紙カセットを選択して、前記送信された画像データに基づく画像を当該選択された給紙カセットから給紙する記録用紙に出力する画像出力方法であって、
前記画像出力装置において、
前記複数の給紙カセットの各々に収納される記録用紙の紙質の種類とサイズとの組み合わせを入力するための入力画面を表示する入力画面表示ステップと、
前記入力画面において、前記複数の給紙カセットの各々に収納される記録用紙の紙質の種類とサイズとの組み合わせが入力された場合に、当該入力された記録用紙の紙質の種類とサイズとの組み合わせを、前記複数の給紙カセットの各々と対応付けて記憶する用紙情報記憶ステップと、
前記制御装置において、
前記記憶された記録用紙の紙質の種類とサイズとの組み合わせを取得する用紙情報取得ステップと、
前記取得された記録用紙の紙質の種類とサイズとの組み合わせの中から前記画像データに基づく画像を出力する記録用紙の紙質の種類とサイズとの組み合わせを選択可能に表示する用紙情報表示ステップと、
前記画像データに基づく画像を出力する記録用紙の紙質の種類とサイズとの組み合わせが選択された場合に、当該記録用紙の紙質の種類とサイズとの組み合わせを前記出力情報として、前記画像データと共に前記画像出力装置に送信する送信ステップと、を含むことを特徴とする画像出力方法。
【請求項９】
前記画像データに基づく画像は、校正を行うために色見本として出力されるものであり、前記記録用紙は、前記校正を行う対象となる印刷物に使用される用紙、若しくは、これに類似する種類の用紙であり、前記画像出力装置は、カラーレーザープリンタであることを特徴とする請求項７又は請求項８に記載の画像出力方法。
【請求項１０】
請求項７乃至請求項９の何れか一項に記載される、前記画像出力装置のコンピュータに対して、前記入力画面表示ステップ及び前記用紙情報記憶ステップにおける処理を実行させる第１のプログラムと、前記制御装置のコンピュータに対して、前記用紙情報取得ステップ、前記用紙情報表示ステップ及び前記送信ステップにおける処理を実行させる第２のプログラムと、から構成されることを特徴とするプログラム。
【請求項１１】
請求項１０に記載される、前記第１のプログラムを前記画像出力装置のコンピュータにより読み出し可能に記憶した第１の記憶媒体と、前記第２のプログラムを前記制御装置のコンピュータにより読み出し可能に記憶した第２の記憶媒体と、から構成されることを特徴とする記憶媒体。
【発明の詳細な説明】
【技術分野】
【０００１】
本発明は、画像出力システム、制御装置、画像出力方法、その方法を実行させるためのプログラム、及び、そのプログラムを記憶した記憶媒体に関し、特に、出力情報に従い、複数の給紙カセットの中から該当するものを選択して、画像データに基づく画像を当該選択された給紙カセットから給紙する記録用紙に出力することで、校正を行うための色見本を作成するものに関する。
【背景技術】
【０００２】
近年では、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集し、ページ面付けする作業が一般化し、フルディジタルでの編集も珍しくなくなってきている。
【０００３】
このような工程では、さらなる効率化を目指して、フィルムにページ面付け済みの画像データを直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルム、印刷版のムダや余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められている。
【０００６】
このようなＤＤＣＰは、図７に示すように、ページ面付け済みの画像データ（図においては、Ａ４サイズ（２９７×２１０ｍｍ）の画像が８面付けされ、トンボ領域が付加されたＡ１ワイドサイズ（６７０×９６７ｍｍ）の画像データを示している）をイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、これを再現する色見本であるＤＣＰ（Ｄｉｇｉｔａｌ  Ｃｏｌｏｒ  Ｐｒｏｏｆ）を作成し、その絵柄、色調、文章文字等の確認を行うことを目的とするものである。
【０００７】
また、このようなＤＣＰ作成システムでは、ＤＣＰを作成する前に、カラーレーザープリンタにより単ページの画像データ（ページ面付けする前の画像データ）の小サイズ出力を行い、その出力物であるカラーカンプの絵柄、色調、文章文字等の確認を行うことが行われる。
【０００８】
即ち、印刷製版工程においては、最終的な印刷作業を行う前に、出力対象の絵柄、色調、文章文字等の確認を行うカラーカンプやＤＣＰを作成し、その色校正を行うことが一般的である。
【０００９】
ところで、最近では、カラーレーザープリンタの性能向上に伴い、安価で高速に高品位なカラー出力を行うことが可能になってきたことから、ＤＣＰを作成する用途に、このようなカラーレーザープリンタを使用したいという要求が高まってきている。但し、上述したように、ＤＣＰ作成用の画像データは、大サイズの画像を出力するものであることから、カラーレーザープリンタにおいては、これを分割して出力することになる。
【００１０】
このようなカラーレーザープリンタとしては、特開平５−４８８５７号公報に開示される電子写真方式のカラーレーザープリンタや、スキャナ・コピア・ファクシミリ機能を併せ持つ複合機等を挙げることができる(例えば、特許文献１参照)。
【００１１】
ところで、カラーレーザープリンタを用いて出力を行う場合には、作業者が、当該カラーレーザープリンタの出力制御を行う制御装置において、出力する画像データの記録範囲や記録部数等の他、出力する記録用紙のサイズを設定することが行われる（以下、このような設定情報を出力情報と称する）。より詳細には、この際、特開平７−１６５３４２号公報（例えば、特許文献２参照）や、特開平９−１９３４９５号公報（例えば、特許文献３参照）に記載されるように、所望のサイズの記録用紙を収納する「給紙カセット」を直接指定することが行われている。
【００１２】
【特許文献１】特開平５−４８８５７号公報（段落〔００１１〕‐〔００７０〕、第１図乃至第１３図）
【特許文献２】特開平７−１６５３４２号公報（段落〔００１０〕‐〔００２３〕、第１図乃至第５図）
【特許文献３】特開平９−１９３４９５号公報（段落〔００１６〕‐〔００４５〕、第１図乃至第４図）
【発明の開示】
【発明が解決しようとする課題】
【００１３】
しかしながら、このように「給紙カセット」を直接指定する方法においては、所望するサイズの記録用紙を使用して確実に出力を行うためには、作業者間において所定のサイズや種類の記録用紙は、所定の給紙カセットに収納するといった決まりごとを設ける必要がある。
【００１４】
また一方で、ＤＣＰを作成する場合には、校正を厳密に行うために、印刷に使用される用紙と同じ種類、若しくは、似通った種類の用紙を使用することが要求されており、上述したように、作業者が制御装置において出力情報を設定する際には、「給紙カセット」を直接指定するのではなく、画像データを出力する記録用紙の「サイズや種類」を指定する構成としたほうがより望ましい（この場合、カラーレーザープリンタにおいては、指定されたサイズや種類の記録用紙を収納する給紙カセットを選択して、当該給紙カセットより給紙を行うことになる）。
【００１５】
また一方で、印刷に使用される用紙の種類には、チラシ等に用いられる「微塗工紙」、カタログ等に用いられる「アート紙」、その他、「コート紙」、「キャスト紙」、「上質紙」等、多数が存在するが、一般に、カラーレーザープリンタの給紙カセットは、２〜４個であり、上述した印刷に使用される用紙の種類に比べて圧倒的に少ないため、画像データを出力する記録用紙の種類を頻繁に変更するような場合には、その都度、給紙カセットに収納される記録用紙を所望の種類のものに入れ替える必要がある。
【００１６】
特に、作業者が複数存在する場合には、作業者の各々により、その都度、給紙カセットに収納される記録用紙が異なるサイズや種類の記録用紙に入れ替えられることになるため、このような場合には、上述したように、作業者間において所定のサイズや種類の記録用紙は、所定の給紙カセットに収納するといった決まりごとを設けたとしても、これを遵守することは困難である。そのため、個々の作業者は、出力を行う度に、事前に給紙カセットに収納される記録用紙のサイズや種類を確認する必要が生じる。
【００１７】
従って、上述したように、作業者が制御装置において出力情報を設定する際には、その都度、各給紙カセットに収納される記録用紙の種類が表示されて、その中から所望のものを選択できる構成としたほうがより好ましい（この場合、制御装置においては、その都度、給紙カセットに収納される記録用紙のサイズや種類を把握する必要がある）。
【００１８】
本発明は、上記事情を鑑みて成されたものであり、その目的とするところは、複数の給紙カセットの各々に収納される記録用紙のサイズや種類の中から所望のものを選択することで、その選択されたサイズや種類の記録用紙を使用して画像出力を行い、適正な色見本を作成することができる画像出力システム、制御装置、画像出力方法、その方法を実行させるためのプログラム、及び、そのプログラムを記憶した記憶媒体を提供することにある。
【課題を解決するための手段】
【００１９】
上記課題を解決するために、請求項１記載の発明は、画像データと共に出力情報を送信する制御装置と、前記送信された出力情報に従い、複数の給紙カセットの中から該当する給紙カセットを選択して、前記送信された画像データに基づく画像を当該選択された給紙カセットから給紙する記録用紙に出力する画像出力装置と、を含む画像出力システムであって、前記画像出力装置は、前記複数の給紙カセットの各々に収納される記録用紙の紙質の種類を入力するための入力画面を表示する入力画面表示手段と、前記入力画面において、前記複数の給紙カセットの各々に収納される記録用紙の紙質の種類を入力するための用紙情報入力手段と、前記入力された記録用紙の紙質の種類を、前記複数の給紙カセットの各々と対応付けて記憶する用紙情報記憶手段と、を備え、前記制御装置は、前記記憶された記録用紙の紙質の種類を取得する用紙情報取得手段と、前記取得された記録用紙の紙質の種類を表示する用紙情報表示手段と、前記表示された記録用紙の紙質の種類の中から前記画像データに基づく画像を出力する記録用紙の紙質の種類を選択するための用紙選択手段と、前記選択された記録用紙の紙質の種類を前記出力情報として、前記画像データと共に前記画像出力装置に送信する送信手段と、を備えたことを特徴とする。
【００２０】
上記課題を解決するために、請求項２記載の発明は、画像データと共に出力情報を送信する制御装置と、前記送信された出力情報に従い、複数の給紙カセットの中から該当する給紙カセットを選択して、前記送信された画像データに基づく画像を当該選択された給紙カセットから給紙する記録用紙に出力する画像出力装置と、を含む画像出力システムであって、前記画像出力装置は、前記複数の給紙カセットの各々に収納される記録用紙の紙質の種類とサイズとの組み合わせを入力するための入力画面を表示する入力画面表示手段と、前記入力画面において、前記複数の給紙カセットの各々に収納される記録用紙の紙質の種類とサイズとの組み合わせを入力するための用紙情報入力手段と、前記入力された記録用紙の紙質の種類とサイズとの組み合わせを、前記複数の給紙カセットの各々と対応付けて記憶する用紙情報記憶手段と、を備え、前記制御装置は、前記記憶された記録用紙の紙質の種類とサイズとの組み合わせを取得する用紙情報取得手段と、前記取得された記録用紙の紙質の種類とサイズとの組み合わせを表示する用紙情報表示手段と、前記表示された記録用紙の紙質の種類とサイズとの組み合わせの中から前記画像データに基づく画像を出力する記録用紙の紙質の種類とサイズとの組み合わせを選択するための用紙選択手段と、前記選択された記録用紙の紙質の種類とサイズとの組み合わせを前記出力情報として、前記画像データと共に前記画像出力装置に送信する送信手段と、を備えたことを特徴とする。
【００２１】
上記課題を解決するために、請求項４記載の発明は、画像データと共に送信された出力情報に従い、複数の給紙カセットの中から該当する給紙カセットを選択して、前記画像データに基づく画像を当該選択された給紙カセットから給紙する記録用紙に出力する画像出力装置に対して、前記画像データと共に前記出力情報を送信する制御装置であって、前記画像出力装置から、前記複数の給紙カセットの各々と対応付けて記憶された記録用紙の紙質の種類を取得する用紙情報取得手段と、前記取得された記録用紙の紙質の種類を表示する用紙情報表示手段と、前記表示された記録用紙の紙質の種類の中から前記画像データに基づく画像を出力する記録用紙の紙質の種類を選択するための用紙選択手段と、前記選択された記録用紙の紙質の種類を前記出力情報として、前記画像データと共に前記画像出力装置に送信する送信手段と、を備えたことを特徴とする。
【００２２】
上記課題を解決するために、請求項５記載の発明は、画像データと共に送信された出力情報に従い、複数の給紙カセットの中から該当する給紙カセットを選択して、前記画像データに基づく画像を当該選択された給紙カセットから給紙する記録用紙に出力する画像出力装置に対して、前記画像データと共に前記出力情報を送信する制御装置であって、前記画像出力装置から、前記複数の給紙カセットの各々と対応付けて記憶された記録用紙の紙質の種類とサイズとの組み合わせを取得する用紙情報取得手段と、前記取得された記録用紙の紙質の種類とサイズとの組み合わせを表示する用紙情報表示手段と、前記表示された記録用紙の紙質の種類とサイズとの組み合わせの中から前記画像データに基づく画像を出力する記録用紙の紙質の種類とサイズとの組み合わせを選択するための用紙選択手段と、前記選択された記録用紙の紙質の種類とサイズとの組み合わせを前記出力情報として、前記画像データと共に前記画像出力装置に送信する送信手段と、を備えたことを特徴とする。
【００２３】
上記課題を解決するために、請求項７記載の発明は、制御装置から画像データと共に出力情報を送信して、これを受けた画像出力装置において、前記送信された出力情報に従い、複数の給紙カセットの中から該当する給紙カセットを選択して、前記送信された画像データに基づく画像を当該選択された給紙カセットから給紙する記録用紙に出力する画像出力方法であって、前記画像出力装置において、前記複数の給紙カセットの各々に収納される記録用紙の紙質の種類を入力するための入力画面を表示する入力画面表示ステップと、前記入力画面において、前記複数の給紙カセットの各々に収納される記録用紙の紙質の種類が入力された場合に、当該入力された記録用紙の紙質の種類を、前記複数の給紙カセットの各々と対応付けて記憶する用紙情報記憶ステップと、前記制御装置において、前記記憶された記録用紙の紙質の種類を取得する用紙情報取得ステップと、前記取得された記録用紙の紙質の種類の中から前記画像データに基づく画像を出力する記録用紙の紙質の種類を選択可能に表示する用紙情報表示ステップと、前記画像データに基づく画像を出力する記録用紙の紙質の種類とサイズとの組み合わせが選択された場合に、当該記録用紙の紙質の種類を前記出力情報として、前記画像データと共に前記画像出力装置に送信する送信ステップと、を含むことを特徴とする。
【００２４】
上記課題を解決するために、請求項８記載の発明は、制御装置から画像データと共に出力情報を送信して、これを受けた画像出力装置において、前記送信された出力情報に従い、複数の給紙カセットの中から該当する給紙カセットを選択して、前記送信された画像データに基づく画像を当該選択された給紙カセットから給紙する記録用紙に出力する画像出力方法であって、前記画像出力装置において、前記複数の給紙カセットの各々に収納される記録用紙の紙質の種類とサイズとの組み合わせを入力するための入力画面を表示する入力画面表示ステップと、前記入力画面において、前記複数の給紙カセットの各々に収納される記録用紙の紙質の種類とサイズとの組み合わせが入力された場合に、当該入力された記録用紙の紙質の種類とサイズとの組み合わせを、前記複数の給紙カセットの各々と対応付けて記憶する用紙情報記憶ステップと、前記制御装置において、前記記憶された記録用紙の紙質の種類とサイズとの組み合わせを取得する用紙情報取得ステップと、前記取得された記録用紙の紙質の種類とサイズとの組み合わせの中から前記画像データに基づく画像を出力する記録用紙の紙質の種類とサイズとの組み合わせを選択可能に表示する用紙情報表示ステップと、前記画像データに基づく画像を出力する記録用紙の紙質の種類とサイズとの組み合わせが選択された場合に、当該記録用紙の紙質の種類とサイズとの組み合わせを前記出力情報として、前記画像データと共に前記画像出力装置に送信する送信ステップと、を含むことを特徴とする。
【００２５】
上記課題を解決するために、請求項１０記載の発明は、請求項７乃至請求項９の何れか一項に記載される、前記画像出力装置のコンピュータに対して、前記入力画面表示ステップ及び前記用紙情報記憶ステップにおける処理を実行させる第１のプログラムと、前記制御装置のコンピュータに対して、前記用紙情報取得ステップ、前記用紙情報表示ステップ及び前記送信ステップにおける処理を実行させる第２のプログラムと、から構成されることを特徴とする。
【００２６】
上記課題を解決するために、請求項１１記載の発明は、請求項１０に記載される、前記第１のプログラムを前記画像出力装置のコンピュータにより読み出し可能に記憶した第１の記憶媒体と、前記第２のプログラムを前記制御装置のコンピュータにより読み出し可能に記憶した第２の記憶媒体と、から構成されることを特徴とする。
【発明の効果】
【００２７】
本発明に係る画像出力システム、制御装置、画像出力方法、その方法を実行させるためのプログラム、及び、そのプログラムを記憶した記憶媒体によれば、画像出力装置において、校正の色見本であるＤＣＰを出力する場合に、制御装置において、画像出力装置に備えられた各給紙カセットに収納される記録用紙のサイズ及び種類が取得されて、その取得された記録用紙のサイズ及び種類が表示されて、作業者により、適正なサイズ及び種類（校正の対象となる印刷物に使用される用紙と同様、若しくは、似通った種類）の記録用紙が選択されることで、その選択された記録用紙のサイズ及び種類が出力情報として画像データと共に送信されて、これを受けた画像出力装置においては、送信されたサイズ及び種類の記録用紙を使用して画像出力を行うので、適正なＤＣＰを作成することができる。従って、当該ＤＣＰを用いて厳密な校正を行うことができる。
【００２８】
また、本発明に係る画像出力システム、制御装置、画像出力方法、その方法を実行させるためのプログラム、及び、そのプログラムを記憶した記憶媒体によれば、装置コスト及びランニングコストが安価で高速出力が可能なカラーレーザープリンタを、ＤＣＰを作成する手段として本格的に活用することができるので、装置コストを大幅に低減することができる。
【００２９】
また、本発明に係る画像出力システム、制御装置、画像出力方法、その方法を実行させるためのプログラム、及び、そのプログラムを記憶した記憶媒体によれば、汎用コンピュータ上のソフトウェアによって、これを実現することが可能であることから、装置コストの上昇を伴うことなく、上述した効果を得ることができる。
【発明を実施するための最良の形態】
【００３０】
以下、本発明に係る画像出力システム、制御装置、画像出力方法、その方法を実行させるためのプログラム、及び、そのプログラムを記憶した記憶媒体の一実施形態について、図面を参照しながら詳細に説明する。
【００３１】
［画像出力システム］
まず、本実施形態における画像出力システムのシステム構成及び概略動作について、図１を参照しつつ、図２に示すフローチャートの流れに沿って説明する。
【００３２】
＜システム構成＞
図１に示すように、当該画像出力システムは、画像データの画像編集、面付け作業を行うためのクライアント端末１と、このクライアント端末１から送信された、例えばＰｏｓｔＳｃｒｉｐｔで記述されたカンプ用画像データ（ページ面付けする前の単ページの画像データ）や、後述するＣＴＰ用ＲＩＰ４から送信された最終出力用画像データ（カンプ用画像データを複数面付けした画像データ）を出力情報、具体的には、これら画像データに基づく画像を出力する記録用紙のサイズ及び種類を指定する情報と共に後述するカラーレーザープリンタ３に送信する制御装置２と、この制御装置２から送信されたカンプ用画像データに基づく画像や、後述するＣＴＰ用ＲＩＰ４から送信された最終出力用画像データ（カンプ用画像データを複数面付けした画像データ）に基づく画像を出力情報に従って該当するサイズ及び種類の記録用紙に出力（画像の大きさによっては、これを分割出力）する帯電複写方式のカラーレーザープリンタ３と、クライアント端末１から送信された、例えばＰｏｓｔＳｃｒｉｐｔで記述された最終出力用画像データにＲＩＰ処理（ＣＴＰ６やＤＣＰ作成装置７の出力解像度にあわせてビットマップデータに変換する処理）を行った後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信された最終出力用画像データに基づく画像をＤＣＰとして出力するＤＣＰ作成装置７と、このＣＴＰ用ＲＩＰ４から送信された最終出力用画像データに基づく画像を出力するＣＴＰ６とから構成されている。これらは、各々、ネットワークを介して接続されている。
【００３３】
尚、クライアント端末１、制御装置２、ＣＴＰ用ＲＩＰ４及びＤＣＰ制御装置５は、各々、コンピュータ端末として動作するものであって、コンピュータ本体、キーボード、表示部等を備え、所定の動作プログラムが組み込まれている。さらに、クライアント端末１は、イメージスキャナ等の画像データを取得するために必要な画像入力機器を備えている。
【００３４】
また、カラーレーザープリンタ３は、互いに異なるサイズや種類の記録用紙を収納する複数の給紙カセットと、この給紙カセットの各々に収納される記録用紙のサイズ及び種類を当該装置３に内蔵される用紙情報記憶部に記憶させる入力操作を行うキーボード等の入力部及びその際に入力画面を表示する表示部等を備え、上述したように、制御装置２から送信される出力情報に従って、該当するサイズ及び種類の記録用紙を収納する給紙カセットを選択して、当該選択された給紙カセットより給紙する記録用紙にカンプ用画像データに基づく画像や最終出力用画像データに基づく画像を出力（画像の大きさによっては、これを分割出力）する。
【００３５】
＜概略動作＞
図２に示すように、このような構成において、クライアント端末１において画像編集された画像データは、制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙にカラーカンプを出力する（Ｓ０１）。尚、此処に言う“カラーカンプ”とは、色付きの仕上がり見本のことであり、ページ面付けされる写真やイラストのダミーとして最終的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、文字校正や色校正等の作業結果確認が行われる。
【００３６】
ここで、作業者により問題がないことが確認された場合には（Ｓ０２、Ｙｅｓ）、クライアント端末１において面付け作業が行われる（Ｓ０３）。尚、此処に言う“面付け作業”とは、製版フィルムを最終的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００３７】
そして、クライアント端末１からＣＴＰ用ＲＩＰ４へ面付け作業が行われた最終出力用の画像データを送信して、これを受けたＣＴＰ用ＲＩＰ４は、その最終出力用の画像データに対してＲＩＰ処理を施す。具体的には、ＤＣＰ作成装置７やＣＴＰ６の出力解像度にあわせてビットマップデータに変換することでＲＩＰ処理済み画像データを作成する（Ｓ０４）。このＲＩＰ処理済み画像データは、ＣＴＰ用ＲＩＰ４から制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙にその最終出力用の画像データに基づく画像を出力（画像の大きさによっては、これを分割出力）する（Ｓ０５）。ここで、分割出力が行われた場合には、作業者は、それらの出力物を貼り合せることで、最終的にＤＣＰを作成する。また、高精度のＤＣＰが必要になる場合には、ＣＴＰ用ＲＩＰ４は、ＲＩＰ処理済み画像データをＤＣＰ制御装置５へ送信して、これを受けたＤＣＰ制御装置５は、ＤＣＰ作成装置７の出力制御を行い、ＤＣＰ作成装置７がその最終出力用の画像データに基づく画像を出力する（Ｓ０５）。即ち、この場合には、面付けされた画像が1枚のＤＣＰとして出力される。尚、カラーレーザープリンタ３において、最終出力用の画像データに基づく画像が出力される記録用紙は、出力情報によって、印刷機により印刷される用紙と同様、若しくは、似通った種類のものが指定されることとする（この詳細については、後述する）。
【００３８】
そして、ＤＣＰの色校正が行われ、作業者により問題がないことが確認された場合には（Ｓ０６、Ｙｅｓ）、ＣＴＰ用ＲＩＰ４からＲＩＰ処理済みデータ（ＤＣＰを出力する際に用いたデータと同一のデータ）をＣＴＰ６に送信して、ＣＴＰ６により印刷版に直接画像記録を行う（Ｓ０７）。さらに、その印刷版により印刷を行い、その印刷物である面付けされた画像の色校正が行われ、ここで、作業者により問題がないことが確認された場合には（Ｓ０８、Ｙｅｓ）、印刷機により最終印刷物を印刷する工程に移行する（Ｓ０９）。
【００３９】
［制御装置］
次に、当該画像出力システムを構成する制御装置２の詳細構成及び詳細動作について、図３及び図６を参照しつつ、図４及び図５に示すフローチャートの流れに沿って説明する。尚、以下においては、制御装置２において、ＣＴＰ用ＲＩＰ４から受信した画像データに基づく画像を出力する処理を行う場合を例に採り説明する。
【００４０】
＜詳細構成＞
図３に示すように、制御装置２は、ＣＴＰ用ＲＩＰ４から受信した画像データを保存する画像データ保存部２０と、この画像データ保存部２０に保存された画像データに、色調整やスクリーン処理（写真やイラストなどのように階調のある原稿を、印刷用の原稿に加工するために細かい点の集まり（網、網点、ハーフトーンドット等）に置き換える処理のこと）を施し、これを後述する送信部２５に出力するスクリーン処理部２１と、後述するカラーレーザープリンタ３の用紙情報記憶部から当該カラーレーザープリンタ３に備えられた複数の給紙カセットの各々に収納される記録用紙のサイズ及び種類を取得する用紙情報取得部２２と、この用紙情報取得部２２により取得された、各給紙カセットに収納される記録用紙のサイズ及び種類を表示する表示部２３と、この表示部２３に表示される各給紙カセットに収納される記録用紙のサイズ及び種類の中から、画像データ保存部２０に保存された画像データに基づく画像を出力する記録用紙のサイズ及び種類を、ＧＵＩ（Ｇｒａｐｈｉｃａｌ  Ｕｓｅｒ  Ｉｎｔｅｒｆａｃｅ）を介して作業者に選択させるための用紙選択部２４と、この用紙選択部２４において選択された記録用紙のサイズ及び種類を出力情報として、スクリーン処理部２１より出力された画像データと共にカラーレーザープリンタ３へ送信する送信部２５と、を備えている。
【００４１】
＜詳細動作＞
このような構成において、作業者は、まず、図４に示すように、カラーレーザープリンタ３において、当該装置３に備えられた複数の給紙カセットの各々に収納される記録用紙のサイズ及び種類を、当該装置３の表示部に表示される入力画面（入力画面表示ステップ；Ｓ１０）にて、入力部における入力操作により入力する。入力された記録用紙のサイズ及び種類は、当該装置３に備えられた記憶部に複数の給紙カセットの各々と対応して記憶される（用紙情報記憶ステップ；１１）。
【００４２】
その上で、図５に示すように、制御装置２にＣＴＰ用ＲＩＰ４から最終出力用の画像データ（ＲＩＰ処理され、面付けされた画像データ）が入力され、これが画像データ保存部２０に保存されると（Ｓ２０）、スクリーン処理部２１は、画像データ保存部２０に保存された画像データに対して、色調整やスクリーン処理を施し（Ｓ２１）、その画像データを送信部２５へ出力する。
【００４３】
すると、用紙情報取得部２２は、カラーレーザープリンタ３の用紙情報記憶部から当該カラーレーザープリンタ３に備えられた各給紙カセットに収納される記録用紙のサイズ及び種類を取得する（用紙情報取得ステップ；Ｓ２２）。これを受けて表示部２３は、図６（の点線で囲まれる領域）に示すように、その各給紙カセットに収納される記録用紙のサイズ及び種類を表示する（用紙情報表示ステップ；Ｓ２３）。作業者は、用紙選択部２４によって、それらの中から画像データ保存部２０に保存された画像データに基づく画像を出力する記録用紙のサイズ及び種類を選択する（Ｓ２４）。これにより、画像データ保存部２０に保存された画像データに基づく画像を出力する記録用紙のサイズ及び種類が取得される。尚、この際、作業者は、校正の対象となる印刷物をより厳密に再現するＤＣＰを作成するべく、当該印刷物に使用される用紙と同様、若しくは、似通った種類の記録用紙を選択する。これにより、後述するカラーレーザープリンタ３においては、選択された記録用紙を使用して画像出力を行い、適正なＤＣＰを作成することができる。
【００４４】
これを受けて、用紙選択部２４は、選択された記録用紙のサイズ及び種類を送信部２５に出力する。これを受けた送信部２５は、この用紙選択部２４から出力された記録用紙のサイズ及び種類を出力情報として、スクリーン処理部２１より出力された画像データと共にカラーレーザープリンタ３へ送信する（送信ステップ；Ｓ２５）。
【００４５】
これを受けたカラーレーザープリンタ３は、送信された出力情報に従って、用紙選択部２４において選択されたサイズ及び種類の記録用紙を収納する給紙カセットを選択した上で、当該選択された給紙カセットより給紙する記録用紙に、送信された画像データに基づく画像を出力（画像の大きさによっては、これを分割出力）する。その出力物は、適正なＤＣＰとして使用される。
【００４６】
以上に説明したように、本実施形態における画像出力システムにおいては、カラーレーザープリンタ３において、校正の色見本であるＤＣＰを出力する場合に、制御装置２の用紙情報取得部２２によって、カラーレーザープリンタ３の用紙情報記憶部に記憶された当該カラーレーザープリンタ３に備えられた各給紙カセットに収納される記録用紙のサイズ及び種類が取得され、表示部２３によって、その取得された記録用紙のサイズ及び種類が表示されて、作業者が用紙選択部２４により適正なサイズ及び種類（校正の対象となる印刷物に使用される用紙と同様、若しくは、似通った種類）の記録用紙を選択することで、その選択された記録用紙のサイズ及び種類が出力情報として画像データと共に送信されて、これを受けたカラーレーザープリンタ３においては、送信されたサイズ及び種類の記録用紙を使用して画像出力を行うので、適正なＤＣＰを作成することができる。従って、当該ＤＣＰを用いて厳密な校正を行うことができる。
【００４７】
［プログラム及びこれを記憶する記憶媒体］
尚、当該画像出力システムを構成するカラーレーザープリンタ３において行われる処理、具体的には、図４に示すフローチャートのＳ１０〜Ｓ１１までの処理を実行させるためのプログラムは、当該装置３に内蔵、若しくは、接続される記憶媒体に記憶されており、同じく当該装置３に内蔵される演算部により、これが読み出されて実行されるものとする。また、当該画像出力システムを構成する制御装置２において行われる処理、具体的には、図５に示すフローチャートのＳ２０〜Ｓ２５までの処理を実行させるためのプログラムは、当該装置２に内蔵、若しくは、接続される記憶媒体に記憶されており、同じく当該装置２に内蔵される演算部により、これが読み出されて実行されるものとする。即ち、何れにおいても、汎用コンピュータ上のソフトウェア処理によって処理が実行されるものとする。
【００４８】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００４９】
尚、以上に説明した本実施形態における画像出力システムは、本発明の好適な一実施形態を例示したものであり、その他の実施形態を除外するものではない。
【００５０】
例えば、本実施形態においては、カラーレーザープリンタ３の各給紙カセットに収納される記録用紙のサイズ及び種類は、当該装置３の用紙情報記憶部に記憶されて、これを制御装置２の用紙情報取得部２２が取得する構成としたが、カラーレーザープリンタ３の各給紙カセットに収納される記録用紙のサイズ及び種類は、直接、制御装置２の記憶部に記憶される構成としても良い。
【００５１】
また、本実施形態においては、用紙選択部２４において、出力する記録用紙のサイズ及び種類を選択する構成としたが、カラーレーザープリンタ３の各給紙カセットに収納される記録用紙のサイズが特定のサイズに固定されているような場合には、出力する記録用紙の種類のみを選択する構成としても良い。
【００５２】
また、本実施形態においては、用紙選択部２４において、出力する記録用紙のサイズ及び種類を選択する構成としたが、カラーレーザープリンタ３の各給紙カセットに収納される記録用紙の厚さ（重さ）に種類があるような場合には、例えば「コート紙  Ａ３  ８４．９ｇ／ｍ２、コート紙  Ａ４  ７９．１ｇ／ｍ２、マット紙  Ｂ４  ７２．３ｇ／ｍ２、上質紙  Ａ３  ６４．０ｇ／ｍ２」等のように、これらの中から出力する記録用紙のサイズ及び種類に加えて、その用紙の厚さ（重さ）を選択する構成としても良い。
【００５３】
また、本実施形態においては、制御装置２において、ＣＴＰ用ＲＩＰ４から受信した画像データに基づく画像を出力する処理を行う場合に、当該制御装置２の表示部において、カラーレーザープリンタ３の各給紙カセットに収納される記録用紙のサイズ及び種類を表示し、作業者に選択させる構成としたが、例えば、制御装置２において、クライアント端末１から受信した画像データに基づく画像を出力する処理を行う際にも、同様の処理を行うこととしても良い。また、この際、ＣＴＰ用ＲＩＰ４やクライアント端末１の表示部において、カラーレーザープリンタ３の各給紙カセットに収納される記録用紙のサイズ及び種類を表示し、作業者に選択させる構成としても良い。
【図面の簡単な説明】
【００５４】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示す制御装置の詳細構成を表す機能ブロック図である。
【図４】図３に示すカラーレーザープリンタにおいて行われる画像データの出力処理の一連の流れを表すフローチャートである。
【図５】図３に示す制御装置において行われる画像データの出力処理の一連の流れを表すフローチャートである。
【図６】図３に示す制御装置の表示部において記録用紙のサイズ及び種類が表示される態様を示す構成図である。
【図７】ＣＴＰで出力される画像データの一構成を表す構成図である。
【符号の説明】
【００５５】
１  クライアント端末
２  制御装置
２０  画像データ保存部
２１  スクリーン処理部
２２  用紙情報取得部
２３  表示部
２４  用紙選択部
２５  送信部
３  カラーレーザープリンタ
４  ＣＴＰ用ＲＩＰ
５  ＤＣＰ制御装置
６  ＣＴＰ
７  ＤＣＰ作成装置
【図１】
2005060041.tif 000003
【図２】
2005060041.tif 000004
【図３】
2005060041.tif 000005
【図４】
2005060041.tif 000006
【図５】
2005060041.tif 000007
【図６】
2005060041.tif 000008
【図７】
2005060041.tif 000009